(57)【特許請求の範囲】
【請求項１】
トラクタ車体（７）の後方に耕耘爪（２０）を配置したロータ軸（１８）と土壌面を畝立成形する畝立装置（９）を装着し、畝立装置（９）の左右中央部に播種装置（１０）を設け、播種装置（１０）の一側と他側にそれぞれ施肥装置（１１,１１）を設けた施用部材において、
前記畝立装置（９）に畝立培土器（１７）を設けて三条畝を成形可能に構成し、
前記播種装置（１０）に３本の種子施用ホース（１,１,１）の一端部を装着してそれぞれ三条畝の上方に各ホースの他端部を配置して播種可能に構成し、
前記一側の施肥装置（１１）に３本の施肥用施用ホース（１２,１２,１２）の一端部を装着し、一側の畝の上方に配置されている種子施用ホース（１）の両側にそれぞれ前記施肥用施用ホース（１２,１２）の他端部を配置するとともに中央の畝の上方に配置されている種子施用ホース（１）の左側に前記施肥用施用ホース（１２）の他端部を配置する構成とし、
前記他側の施肥装置（１１）に３本の施肥用施用ホース（１２,１２,１２）の一端部を装着し、他側の畝の上方に配置されている種子施用ホース（１）の両側にそれぞれ前記施肥用施用ホース（１２,１２）の他端部を配置するとともに中央の畝の上方に配置されている種子施用ホース（１）の右側に前記施肥用施用ホース（１２）の他端部を配置する構成とし、
前記一側の畝の上方に配置されている種子施用ホース（１）の他端部と該種子施用ホース（１）の両側に配置されている施肥用施用ホース（１２,１２）の他端部は作業フレーム（１６）で支持され、それぞれ単独で他端部の左右位置を移動可能に設け、
前記中央の畝の上方に配置されている種子施用ホース（１）の他端部と該種子施用ホース（１）の両側に配置されている施肥用施用ホース（１２,１２）の他端部は作業フレーム（１６）で支持され、それぞれ単独で他端部の左右位置を移動可能に設け、
前記他側の畝の上方に配置されている種子施用ホース（１）の他端部と該種子施用ホース（１）の両側に配置されている施肥用施用ホース（１２,１２）の他端部は作業フレーム（１６）で支持され、それぞれ単独で他端部の左右位置を移動可能に設け、
前記３本の種子施用ホース（１,１,１）の他端部の先端に、絞口を形成する粉粒剤案内体（３９，３９,３９）と、粉粒剤案内体（３９，３９,３９）から流下排出される粉粒剤を左右方向へ分流する分流板（４,４,４）を取り付け、分流板（４,４,４）には、後外側へ傾斜の拡散案内面を形成した拡散板（６,６,６）を形成したことを特徴とする施用部材。
【請求項２】
前記３本の種子施用ホース（１）の他端部の先端をそれぞれ嵌合させるホルダリング（３２）を設け、該ホルダリング（３２）の左右両側に施肥用施用ホース（１２,１２）の他端部の先端を嵌合させるホルダリング（３３,３４）を設け、前記種子施用ホース（１）の先端を嵌合して受けるホルダリング（３２）は取付ホルダ（２９）を介して作業フレーム（１６）に支持し、前記施肥用施用ホース（１２,１２）の先端を嵌合して受けるホルダリング（３３,３４）は取付ホルダ（３０,３１）を介して作業フレーム（１６）に支持するように構成したことを特徴とする請求項１記載の施用部材。
【発明の詳細な説明】
【技術分野】
【０００１】
この発明は、粉粒剤を施用する施肥機や播種機や薬剤散布機等に用いる施用の部材として利用できる。
【背景技術】
【０００２】
畝立機によって形成される畝土壌面に散布装置で肥料を局所的に散布して、撹拌装置で土壌と混合させる技術（例えば、特許文献１参照）が知られている。      
【先行技術文献】
【特許文献】
【０００３】
【特許文献１】特開２００６−１８０７３９号公報
【発明の概要】
【発明が解決しようとする課題】
【０００４】
畝立機によって畝立しながら肥料を施用する場合等にあって、施用ホース等から畝立土壌面に散布される粉粒剤肥料が、目的位置よりも左側、または右側等へ変移して、施用目的位置に対して左右の側へ大きく片寄って施用されたり、均等施用されないこと等が多い。
【課題を解決するための手段】
【０００５】
請求項１に記載の発明は、トラクタ車体（７）の後方に耕耘爪（２０）を配置したロータ軸（１８）と土壌面を畝立成形する畝立装置（９）を装着し、畝立装置（９）の左右中央部に播種装置（１０）を設け、播種装置（１０）の一側と他側にそれぞれ施肥装置（１１,１１）を設けた施用部材において、
前記畝立装置（９）に畝立培土器（１７）を設けて三条畝を成形可能に構成し、
前記播種装置（１０）に３本の種子施用ホース（１,１,１）の一端部を装着してそれぞれ三条畝の上方に各ホースの他端部を配置して播種可能に構成し、
前記一側の施肥装置（１１）に３本の施肥用施用ホース（１２,１２,１２）の一端部を装着し、一側の畝の上方に配置されている種子施用ホース（１）の両側にそれぞれ前記施肥用施用ホース（１２,１２）の他端部を配置するとともに中央の畝の上方に配置されている種子施用ホース（１）の左側に前記施肥用施用ホース（１２）の他端部を配置する構成とし、
前記他側の施肥装置（１１）に３本の施肥用施用ホース（１２,１２,１２）の一端部を装着し、他側の畝の上方に配置されている種子施用ホース（１）の両側にそれぞれ前記施肥用施用ホース（１２,１２）の他端部を配置するとともに中央の畝の上方に配置されている種子施用ホース（１）の右側に前記施肥用施用ホース（１２）の他端部を配置する構成とし、
前記一側の畝の上方に配置されている種子施用ホース（１）の他端部と該種子施用ホース（１）の両側に配置されている施肥用施用ホース（１２,１２）の他端部は作業フレーム（１６）で支持され、それぞれ単独で他端部の左右位置を移動可能に設け、
前記中央の畝の上方に配置されている種子施用ホース（１）の他端部と該種子施用ホース（１）の両側に配置されている施肥用施用ホース（１２,１２）の他端部は作業フレーム（１６）で支持され、それぞれ単独で他端部の左右位置を移動可能に設け、
前記他側の畝の上方に配置されている種子施用ホース（１）の他端部と該種子施用ホース（１）の両側に配置されている施肥用施用ホース（１２,１２）の他端部は作業フレーム（１６）で支持され、それぞれ単独で他端部の左右位置を移動可能に設け、
前記３本の種子施用ホース（１,１,１）の他端部の先端に、絞口を形成する粉粒剤案内体（３９，３９,３９）と、粉粒剤案内体（３９，３９,３９）から流下排出される粉粒剤を左右方向へ分流する分流板（４,４,４）を取り付け、分流板（４,４,４）には、後外側へ傾斜の拡散案内面を形成した拡散板（６,６,６）を形成したことを特徴とする施用部材とする。
【０００６】
請求項２に記載の発明は、前記３本の種子施用ホース（１）の他端部の先端をそれぞれ嵌合させるホルダリング（３２）を設け、該ホルダリング（３２）の左右両側に施肥用施用ホース（１２,１２）の他端部の先端を嵌合させるホルダリング（３３,３４）を設け、前記種子施用ホース（１）の先端を嵌合して受けるホルダリング（３２）は取付ホルダ（２９）を介して作業フレーム（１６）に支持し、前記施肥用施用ホース（１２,１２）の先端を嵌合して受けるホルダリング（３３,３４）は取付ホルダ（３０,３１）を介して作業フレーム（１６）に支持するように構成したことを特徴とする請求項１記載の施用部材とする。
【発明の効果】
【０００７】
請求項１に記載の発明は、前記施用ホース１を案内されて流下する粉粒剤は、一旦、粉粒剤案内体（３９，４１）の絞口部に集められてから、分流板４側へ排出されるため、施用ホースの形状や、敷設形態に拘らず、定位置の粉粒剤案内体（３９，４１）から一定の流出姿勢、乃至流出状態にして排出される。この粉粒剤案内体（３９，４１）から排出される粉粒剤は左右に案内されて、左右の分流板４側へ案内され土壌面へ的確に施用される。施用ホースの形態や、設置に拘らず、簡単な構成で、安定した粉粒剤の土壌面への施用を行わせることができ、施用ホース１やの設置、及び施用作業等を簡単、容易に行うことができる。
また、前記分流板４と、拡散板６とを一体構成とするため、簡単な構成として取扱性を安定させることができる。前記分流稜線３で分流された粉粒剤は相互に混合させることなく、各分流板４の後外側の拡散板６への傾斜案内面に順次拡散案内させて的確に施用させることができる。また、施用ホース１や、この先端部に粉粒剤案内体（３９，４１）を介在させた取付構成として、簡単な取扱形態とすることができる。播種と施肥が適切にできる。
【０００８】
請求項２に記載の発明は、播種位置と施肥位置を適宜変更できる。
【図面の簡単な説明】
【０００９】
【図１】散布ノズルの分解斜視図。
【図２】一部別実施例の斜視図。
【図３】一部別実施例の斜視図。
【図４】一部別実施例の分解斜視図。
【図５】施肥機の側面図。
【図６】施肥機の背面図。
【図７】施肥機の散布ノズル部の斜視図。
【図８】施肥機の施用ホースの配置を示す背面図。
【発明を実施するための形態】
【００１０】
図面に基づいて、施肥機や、播種機や、中耕除草を行う管理作業機等に、散布ノズル５を装着して、播種、施肥作業する形態を説明する。施肥機は、図５、図６のように、トラクタ車体７の後側にリフトリンク８を介して装着の畝立装置９に、播種装置１０を施肥装置１１と共に装着して、土壌面を畝立成形しながら、播種及び施肥するものである。播種装置１０による播種、及び施肥装置１１による施肥は、畝立装置９によって畝立成形される各畝上面部に施用ホース１、１２を介して流下案内させる。散布ノズル５は、この播種のための施用ホース１の下端部に取付けている。
【００１１】
前記畝立装置９は、リフトアーム１３の上下回動によって昇降されるリフトリンク８のリンクヒッチ１４に、作業ヒッチ１５を介して着脱されるもので、作業ヒッチ１５部から左右両側方に亘って形成されるロータ軸１８、及び作業フレーム１６に畝立培土器１７を配置して、図例では三条畝培土成形の形態に設定している。前記ロータ軸１８は、これら各培土器１７の前側に沿って設けられ、前記作業ヒッチ１５下部の伝動ケース１９から左右両側方へ張出されて伝動回転される。このロータ軸１８の周りに中耕除草用の耕耘爪２０を配置している。この耕耘爪２０の回転によって土壌面を耕耘しながら、後側の培土器１７で畝立培土するものである。２１はゲージホイル、２２は培土カバー、２３はリヤヒッチ、３７は後輪である。
【００１２】
前記播種装置１０は、種子Ｇを収容する播種ホッパー２４と、このホッパー２４の種子Ｇを繰出す繰出ロール等を収容した繰出装置２５等からなり、畝立装置９幅の中央部に配置している。又、施肥装置１１は、肥料Ｐを収容する施肥ホッパー２６と、このホッパ２６の肥料Ｐを繰出す繰出ロール等を収容した繰出装置２７等からなり、前記播種装置１０の前側で、左右両部に配置して、前記作業ヒッチ１５部上方の取付フレーム２８に取付けて支持させる。前記ロータ軸１８や、各播種装置１０や、施肥装置１１等の繰出装置２５、２７は、車体７側のＰＴＯ軸（図面省略）から連動回転する形態である。
【００１３】
前記各繰出装置２５、２７から繰出す種子Ｇや肥料Ｐは、施用ホース１、１２等によって、畝立成形の各畝土壌面に施用案内するもので、車体７の走行行程において培土器１７により三条の畝立成形を行う形態であるから、各繰出装置２５、２７から繰出される種子Ｇや、肥料Ｐを、各畝立条毎に三条宛て分割しえ流下案内するように三本毎の施用ホース１、１２を配置して、各繰出装置２５、２７から繰出す種子や、肥料を三等分毎に分割しながら、各々繰出分割された種子や、肥料を、施用ホース１、１２によって各畝立条の土壌面へ流下案内させる。
【００１４】
前記各畝立条の土壌面の上方位置には、前記作業フレーム１６の一部から取付ホルダ２９、３０、３１のホルダリング３２、３３、３４を配置して、この各ホルダリング３２、３３、３４に施用ホース１、１２の先端部を嵌合させて支持する。これら各取付ホルダ２９、３０、３１はセットボルト３５を有して、フレーム１６に対する取付位置を左右横方向へ移動することができる。前記ホルダリング３２、３３、３４は適宜長さの筒状形態で、上端縁を漏斗状に形成して、上側から施用ホース１、１２を適宜深さに差込みし易い形態にしている。各畝立条毎に、中央部に播種用の施用ホース１を支持するホルダリング３２を設定し、この左右両側部に施肥用の施用ホース１２を支持するホルダリング３３、３４を設定している。これら施肥用ホルダリング３３、３４等の下端部は直接畝立条の土壌面にのぞませて施肥させる形態としているが、これら左右のホルダリング３３、３４と共に同じ肥料Ｐを施用案内する形態とするもよく、又、各々異種の肥料を案内する形態とすることもできる。
【００１５】
散布ノズル５は、前記中央部のホルダリング３２の下端部に取付けられて、拡散板６の下面を畝立条の上面に接近させて移動イさせると共に、この拡散板６の中央部に形成の分流板４の上面に、前後方向に沿う分流稜線３を後下りの傾斜に形成し、この分流稜線３の上側に前記ホルダリング３２内のノズル２をのぞませる。これら分流板４、及び拡散板６は正断面へ形状に形成して、後端下りで、かつ横端下りの傾斜面に形成している。又、前記拡散板６の左右両側端には起立形成のガイド縁３６を有して、拡散板６面を外側へ流下する種子を後端側へ案内して、所定幅域内に播種する形態としている。
【００１６】
ここにおいて、粉粒剤を流下案内する施用ホース１の先端部に、絞口のノズル２を形成すると共に、このノズル２から流下排出される粉粒剤を左右方向へ分流する分流稜線３と、分流板４を一体的形成の散布ノズル５を取付ることを特徴とする粉粒剤施用ノズルの構成とする。
【００１７】
粉粒剤を施用する作業機の一定の施用箇所に散布ノズル５を取付けて、粉粒剤繰出装置から繰出される粉粒剤を施用ホース１を介してノズル２に流出させる。このノズル２から排出される粉粒剤は絞口によって一定の位置から集中して案内流出される。このノズル２から流出される粉粒剤は、分流稜線３に案内されて、左側と右側との方向へ均等に分流されて、これら左側、右側に位置する分流板４に案内されて土壌面へ施用される。
【００１８】
又、前記分流板４には、後外側へ傾斜の拡散案内面を形成した拡散板６を形成する。
前記のように施用ホース１を経て流出される粉粒剤は、一旦ノズル２による絞口に集流されてから分流稜線３に作用して左右の分流板４に分けられるものであり、この左右の分流板４に排出された粉粒剤が、この分流板４に継続する拡散案内面の形成の拡散板６に案内されて土壌面に施用される。前記分流稜線３で分割分離された粉粒剤を混合させないように案内して土壌面の施用位置へ案内させる。主として図１においては、前記ホルダリング３２の下端部に拡散ノズル５を一体構成としたもので、この分流板４部の前端部に前記ガイド縁３６と連続する前縁３８を形成して、ホルダリング３２の外周面に接着させている。このホルダリング３２の内側にノズル２を絞口形態に形成したノズルリング３９を嵌合し、このノズルリング３９の上側内に施用ホース１の下端部を嵌合させて、種子Ｇが流下するよう案内させる。このノズル２の中心位置を前記分流板４の分流稜線３の直上位置に対向して設定し、このノズル２を流下される種子が分流稜線３部で左右の分流板４に二分されて流下案内される形態である。
【００１９】
次に、主として図２においては、前記ホルダリング３２自体の下端部にノズル２を絞口形態に形成したもので、このホルダリング３２の上側に施用ホース１の先端部を嵌合させる。
【００２０】
次に、主として図３においては、前記拡散ノズル５の前端部で分流稜線３の前端部上に、正面視Ｖ条形態の供給溝４０を形成し、上側のホルダリング３２のノズル２部から流下した種子Ｇを、この供給溝４０内に受けて、分流板４側へ流下させる。このとき、この供給溝４０のＶ状下り傾斜の谷線Ｌが分流稜線３上に一致していて、後側へ流出する種子Ｇをこの分流稜線３で左右へ分流させる。
【００２１】
次に、主として図４において、ノズル２を形成したキャップ皿４１を施用ホース１の先端部に一体に接着して、これらノズル２ホース１を一体として、散布ノズル５のホルダリング３２に嵌合させて取付できる形態である。
【００２２】
ノズルリング３９やキャップ皿４１の粉粒剤案内体の別実施例として、図示はしないが、一対の案内板の下端に絞口を形成する形状でも良い。また、粉粒剤案内体を分流板側に一体形成する散布ノズルの構成にしても良い。
【符号の説明】
【００２３】
１    種子施用ホース
２    ノズル
３    分流稜線
４    分流板
５    散布ノズル
６    拡散板
７ トラクタ車体
９ 畝立装置
１０ 播種装置
１１ 施肥装置
１２ 施肥用施用ホース
１６ 作業フレーム
１７ 畝立培土器
１８ ロータ軸
２０ 耕耘爪
２９ 取付ホルダ
３０ 取付ホルダ
３１ 取付ホルダ
３２ ホルダリング
３３ ホルダリング
３４ ホルダリング
３９    粉粒剤案内体（ノズルリング）
４１    粉粒剤案内体（キャップ皿）
【図１】
0005866928.tif 000002
【図２】
0005866928.tif 000003
【図３】
0005866928.tif 000004
【図４】
0005866928.tif 000005
【図５】
0005866928.tif 000006
【図６】
0005866928.tif 000007
【図７】
0005866928.tif 000008
【図８】
0005866928.tif 000009